(57)【要約】      （修正有）【課題】簡単な構造で廉価であり、しかもチャイルドレジスタンス機能（ＣＲ機能）付きの電子式ライターを提供する。【解決手段】噴射ガスにスパークさせて着火させるスライド式発火用部材４１は、ケーシング１１に軸着したスライドパーツ４３と、該スライドパーツの上面から該スライドパーツのスライド方向側壁にかけて取り付けられた弾性ロックパーツ４４で構成されており、該スライドパーツはその軸着部分の近傍に配設した押圧部材４５が上下に移動可能な前記放電ユニット５１の頭部を押圧するようになっており、また前記弾性ロックパーツは、単に前記スライド式発火用部材を発火方向にスライドさせようとしても、側壁下端４４ａが前記ケーシングの側壁上端１１ａに係合してロックされ、前記弾性ロックパーツの上面を押せば前記弾性ロックパーツが変形して前記側壁下端のロックが解除され、前記スライド式発火用部材を発火方向にスライドできるようにした。【選択図】図１
0003164572.tif 000002
【実用新案登録請求の範囲】
【請求項１】
ケーシングと、このケーシング内に配設された燃料を収容する燃料収容部と、この燃料収容部に連通するガス噴射ノズルと、このガス噴射ノズルを開放させてガスを噴射させつつ、噴射ガスにスパークさせて着火させるスライド式発火用部材と、前記スパークを生じさせる放電ユニットとを有する電子式ライターにおいて、
噴射ガスにスパークさせて着火させる前記スライド式発火用部材は、前記ケーシングに軸着したスライドパーツと、該スライドパーツの上面から該スライドパーツのスライド方向側壁にかけて取り付けられた弾性ロックパーツで構成されており、該スライドパーツはその軸着部分の近傍に配設した押圧部材が上下に移動可能な前記放電ユニットの頭部を押圧するようになっており、また前記弾性ロックパーツは、単に前記スライド式発火用部材を発火方向にスライドさせようとしても、前記側壁下端が前記ケーシングの側壁上端に係合してロックされ、前記弾性ロックパーツの上面を押せば前記弾性ロックパーツが変形して前記側壁下端のロックが解除され、前記スライド式発火用部材を発火方向にスライドできるようにしたことを特徴とする電子式ライター。
【請求項２】
前記ガス噴射ノズルを開放させてガスを噴射させる手段が、前記ガス噴射ノズルと放電ユニットとの間に設けた支点によって支持された噴射レバーからなり、前記スライド式発火用部材の押圧部材の押し下げによる前記放電ユニットの下降にともなって前記噴射レバーの後端が押し下げられ、同時に前記噴射レバーの前端が上昇して前記ガス噴射ノズルを押し上げて開放するようにしたことを特徴とする請求項１に記載の電子式ライター。
【請求項３】
前記スライドパーツの軸着部分の近傍に配設した押圧部材は、前記放電ユニットの頭部を押圧する第１押圧部と、第１押圧部と異なる位置に設けられ、前記噴射レバーを押し下げる第２押圧部とを備えるようにしたことを特徴とする請求項２に記載の電子式ライター。
【請求項４】
前記弾性ロックパーツの上面には、前記弾性ロックパーツを変形させて前記側壁下端のロックが解除する押下げ位置を示す目印が設けられていることを特徴とする請求項１に記載の電子式ライター。
【考案の詳細な説明】
【技術分野】
【０００１】
この考案はスライド式発火用部材を横方向にスライドさせて電子式の着火手段を作動させることにより着火するスライド式ライターの安全機構に関する。
【背景技術】
【０００２】
従来の電子式の着火機構を備えたライターは、ほとんどが着火ボタンを押し下げて電子式の着火手段を作動させるものであった。
この考案と同様の、スライド式発火用部材を横方向にスライドさせて電子式の着火手段を作動させるスライド式ライターの安全機構等に関しては以下のような案が提案されている。
【０００３】
特開２００３−３４３８３３号公報（特許文献１参照）においては、従来のロック部材であるストッパーが本体より突出しているため、安易に解除方向へ回動し、意に反して着火してしまうことが危惧されるという問題点を解消するものである。
すなわち、安全機構は弁操作レバーを揺動かつ上下動自在に支持する可動支点と、該可動支点を上下動自在に変位せしめるスライダーとを備えるものであり、スライダーを操作して、可動支点の下端が上段面の位置にある時に弁操作レバーの支点部位を押し上げて開弁可能状態になし、下段面の位置にある時に同支点部位を押し下げて開弁不能状態に切り換えるようにしたものである。
【０００４】
特開平１０−３２５５４１号公報（特許文献２参照）においては、押下手段の押下げ操作が行えてもロック解除操作部材によるロック解除操作を行っていない状態ではガスの噴出が行えないようにして信頼性を高めるものである。
すなわち、 燃料供給手段におけるバルブ機構を開閉作動する作動レバーと、ノズルから噴出する燃料ガスに点火する点火手段と、押下げ操作により作動レバーを操作すると共に点火動作を行う押下手段とを備え、前記作動レバーの軸の位置を、バルブ機構の開閉操作が不能な第１位置と、バルブ機構の開閉作動が可能な第２位置とに移動可能なロック解除操作部材を、外部から操作可能に設置してなるものである。
【０００５】
特開平７−１９４７０号公報（特許文献３参照）においては、回動式の操作部材のロックによる安全装置を付設し、点火後は自動的にロック状態に復帰して意に反した点火を確実に防ぎ信頼性を高めるものである。
すなわち、 操作部材を回動自在に支持する脚部にロック部材を装着し、タンク側面部の上端部に円弧状のガイド溝と端部凹溝を形成し、ロック部材を、前記ガイド溝および端部凹溝と係合可能なストッパ部と、ストッパ部を端部凹溝に係合したロック位置からガイド溝に係合させるロック解除操作が可能なつまみ部と、基部を中心方向に付勢してロック位置およびロック解除位置を保持するバネ部材とで一体に形成してなり、ストッパ部が凹溝に係合して操作部材の回動を制止し、その係合を外して操作部材の回動を可能とし、ガイド溝の端面でロック部材をロック可能位置に移動させるようにしたものである。
【０００６】
実開平５−６１６６４号公報（特許文献４参照）においては、ライターの外観を損ねることなく簡単かつ確実にロックされると共に、意に反したストッパーの安易なロック解除を確実に阻止し得たガスライターの操作ロック装置を提供するものである。
すなわち、ストッパーをライター本体若しくはその外装ケース内に往復動作自在に装着せしめ、一方の位置に変位した際に、一端側が蓋体若しくは着火操作子内に当接して前記蓋体の開閉操作若しくは着火操作子の着火操作を阻止するように組み付けている。
【０００７】
実開平５−３４４４９号公報（特許文献５参照）においては、ライターの外観を損ねることなく、指等に触れても安易に回動することのない、ストッパーの安易なロック解除を確実に阻止するものである。
すなわち、一方の位置で着火操作子の着火操作を不能にし、他方の位置で操作不能状態を解除するようにストッパーを着火操作子の動作方向と交差する往復動作自在に配置すると共に、少なくともその一部が着火操作子の表面と略同一面上で指に掛かるように突設させ、不使用時には、着火操作子で被装される中間ケースの所望位置に、ストッパーを着脱自在に係止するための嵌入溝を設け、着火操作子内でストッパーが嵌入溝に常時係止されるように付勢している。
【先行技術文献】
【特許文献】
【０００８】
【特許文献１】特開２００３−３４３８３３号公報
【特許文献２】特開平１０−３２５５４１号公報
【特許文献３】特開平７−１９４７０号公報
【特許文献４】実開平５−６１６６４号公報
【特許文献５】実開平５−３４４４９号公報
【考案の概要】
【考案が解決しようとする課題】
【０００９】
本考案の目的とするところは簡単な構造で廉価であり、しかも確実に子供が不注意で着火させることを防止できるチャイルドレジスタンス機能＝ＣＲ機能付きの電子式ライターを提供しようとするものである。
【課題を解決するための手段】
【００１０】
すなわちこの考案の電子式ライターは、ケーシングと、このケーシング内に配設された燃料を収容する燃料収容部と、この燃料収容部に連通するガス噴射ノズルと、このガス噴射ノズルを開放させてガスを噴射させつつ、噴射ガスにスパークさせて着火させるスライド式発火用部材と、前記スパークを生じさせる放電ユニットとを有する電子式ライターにおいて、
噴射ガスにスパークさせて着火させる前記スライド式発火用部材は、前記ケーシングに軸着したスライドパーツと、該スライドパーツの上面から該スライドパーツのスライド方向側壁にかけて取り付けられた弾性ロックパーツで構成されており、該スライドパーツはその軸着部分の近傍に配設した押圧部材が上下に移動可能な前記放電ユニットの頭部を押圧するようになっており、また前記弾性ロックパーツは、単に前記スライド式発火用部材を発火方向にスライドさせようとしても、前記側壁下端が前記ケーシングの側壁上端に係合してロックされ、前記弾性ロックパーツの上面を押せば前記弾性ロックパーツが変形して前記側壁下端のロックが解除され、前記スライド式発火用部材を発火方向にスライドできるようにしたことを特徴とするものである。
【００１１】
この考案の電子式ライターは、前記ガス噴射ノズルを開放させてガスを噴射させる手段が、前記ガス噴射ノズルと放電ユニットとの間に設けた支点によって支持された噴射レバーからなり、前記スライド式発火用部材の押圧部材の押し下げによる前記放電ユニットの下降にともなって前記噴射レバーの後端が押し下げられ、同時に前記噴射レバーの前端が上昇して前記ガス噴射ノズルを押し上げて開放するようにしたことをも特徴とするものである。
【００１２】
この考案の電子式ライターは、前記スライドパーツの軸着部分の近傍に配設した押圧部材は、前記放電ユニットの頭部を押圧する第１押圧部と、第１押圧部と異なる位置に設けられ、前記噴射レバーを押し下げる第２押圧部とを備えるようにしたことをも特徴とするものである。
【００１３】
この考案の電子式ライターは、前記弾性ロックパーツの上面には、前記弾性ロックパーツを変形させて前記側壁下端のロックが解除する押下げ位置を示す目印が設けられていることをも特徴とするものである。
【考案の効果】
【００１４】
本考案によって達成される利点は次の点にある。
１）噴射ガスにスパークさせて着火させる前記スライド式発火用部材を支持する前記スライドパーツはその上面から該スライドパーツのスライド方向側壁にかけて弾性ロックパーツが取り付けられており、該弾性ロックパーツによって、単に前記スライド式発火用部材を発火方向にスライドさせようとしても、前記側壁下端が前記ケーシングの側壁上端に係合してロックされ、前記弾性ロックパーツの上面を押すことにより前記弾性ロックパーツが変形して前記側壁下端のロックが解除され、前記スライド式発火用部材を発火方向にスライドできるようにしたので、簡単な構造で子供が不注意で着火させることを防止できるチャイルドレジスタンス機能＝ＣＲ機能付きの電子式ライターを提供することができる。
【００１５】
２）前記ガス噴射ノズルを開放させてガスを噴射させる手段が、前記ガス噴射ノズルと放電ユニットとの間に設けた支点によって支持された噴射レバーからなり、前記スライド式発火用部材の押し下げによる前記放電ユニットの下降にともなって前記噴射レバーの後端が押し下げられ、同時に前記噴射レバーの前端が上昇して前記ガス噴射ノズルを押し上げて開放するようにしたので、前記噴射レバーとガス噴射ノズルおよび前記放電ユニットとの接触位置を適宜調節することにより、ガスの噴射が適宜の段階で行われるようにすることが簡単に行い得る。
【００１６】
３）前記スライドパーツの軸着部分の近傍に配設した押圧部材は、前記放電ユニットの頭部を押圧する第１押圧部と、第１押圧部と異なる位置に設けられ、前記噴射レバーを押し下げる第２押圧部とを備えるようにしたので、構造が簡単でかつ機能的に優れた電子式ライターを提供することができる。
【００１７】
４）前記弾性ロックパーツの上面には、前記弾性ロックパーツを変形させて前記側壁下端のロックが解除する押下げ位置を示す目印が設けられており、したがって操作しやすい電子式ライターを提供することができる。
【図面の簡単な説明】
【００１８】
【図１】この考案の電子式ライターの実施の形態を示す断面図である。
【図２】スライド式発火用部材部分を押し下げた状態の断面図である。
【図３】スライド式発火用部材部分をスライドさせた状態の断面図である。
【考案を実施するための形態】
【００１９】
次に、添付の図面に基いてこの考案の電子式ライターを詳細に説明する。
図１ないし図３はこの考案の電子式ライターの１実施例を示すものである。
この考案の電子式ライターは、容器状のケーシング１１と、このケーシング１１内に配設された燃料を収容する燃料収容部２１と、この燃料収容部２１に連通するガス噴射ノズル３１と、このガス噴射ノズル３１を開放させてガスを噴射させつつ、噴射ガスにスパークさせて着火させるスライド式発火用部材４１と、前記スパークを生じさせる放電ユニット５１とを有するものである。
【００２０】
図１、図２および図３に示すように、この考案の電子式ライターにおける、噴射ガスにスパークさせて着火させるスライド式発火用部材４１は、前記ケーシング１１に左右一対の軸部４２を介して軸着したスライドパーツ４３と、該スライドパーツ４３の上面から該スライドパーツ４３のスライド方向側壁にかけて取り付けられた弾性ロックパーツ４４で構成されている。
前記左右一対の軸部４２の間はＵ字状の間隙が形成され、左右一対の軸部４２は前記間隙によってもたらされる弾性によって前記ケーシング１１に取り付けられる。
前記スライドパーツ４３は、その軸着部分の近傍に配設した剛性のある押圧部材４５が上下に移動可能な前記放電ユニット５１の頭部５２を押圧するようになっている。
【００２１】
前記弾性ロックパーツ４４は、単に前記スライド式発火用部材４１を発火方向にスライドさせようとしても、前記側壁下端４４ａが前記ケーシング１１の側壁上端１１ａに係合してロックされる。したがって、子供が不注意で着火させることを防止できるチャイルドレジスタンス機能＝ＣＲ機能付きの電子式ライターを提供することができる。
【００２２】
前記弾性ロックパーツ４４は弾性変形が可能であるため、前記弾性ロックパーツ４４の上面を押せば前記弾性ロックパーツ４４の上面が凹状に変形して前記側壁下端４４ａが持ち上がり、前記ケーシング１１の側壁上端１１ａとの係合が外れてロックが解除される。
したがって、前記弾性ロックパーツ４４の上面を押したときのみ、前記スライド式発火用部材４１を発火方向にスライドさせることができる。その状態で、前記スライド式発火用部材４１を押し下げると前記放電ユニット５１の頭部５２も押し下げられて前記放電ユニット５１が放電し、前記ガス噴射ノズル３１から噴射したガスに点火されることとなる。
【００２３】
図において、３２は前記放電ユニット５１の電圧を前記ガス噴射ノズル３１の近傍に導く銅線であり、その端部と前記ガス噴射ノズル３１との間隙で発生する放電によって、前記ガス噴射ノズル３１から噴射したガスに点火されるのである。
【００２４】
次に、前記ガス噴射ノズル３１を開放させてガスを噴射させる手段は、前記ガス噴射ノズル３１と放電ユニット５１との間に設けた支点１２によって支持された噴射レバー３３からなっている。
したがって、前記スライド式発火用部材４１の押し下げによる前記放電ユニット５１の下降にともなって前記噴射レバー３３の後端が押し下げられ、同時に前記噴射レバー３３の前端が上昇して前記ガス噴射ノズル３１を押し上げてガス噴射ノズル３１を開放し、点火可能な状態とするようになっている。
【００２５】
なお、前記噴射レバー３３の前端はＵ字溝となっており、前記ガス噴射ノズル３１のつば部３４に前記Ｕ字溝が係合して前記噴射レバー３３を上下させるようになっている。３５は前記噴射レバー３３の下端が当接するＯリングで、前記噴射レバー３３を上昇させると前記噴射レバー３３とＯリング３５との間にできる隙間からガスが放出されるようになっている。
【００２６】
前記スライドパーツ４３の軸着部分の近傍に配設した押圧部材４５は、前記放電ユニット５１の頭部５２を押圧する第１押圧部４５ａと、第１押圧部４５ａと異なる位置に設けられ、前記噴射レバー３３を押し下げる第２押圧部４５ｂとを備えるようにしたので、構造が簡単でかつ機能的に優れた電子式ライターを提供することができる。
【００２７】
前記弾性ロックパーツ４４の上面には、前記弾性ロックパーツ４４を変形させて前記側壁下端４４ａのロックを解除するための押下げ位置を示す目印４６が設けられており、この目印４６を押すだけでロックが解除されるので、非常に操作しやすい電子式ライターを提供することができる。
【００２８】
次に、図１ないし図３に基いてこの考案の電子式ライターの動作について説明する。
まず、前記放電ユニット５１が放電許容位置にあっても、図１のように前記側壁下端４４ａが前記ケーシング１１の側壁上端１１ａに係合してロックされている状態では、前記スライド式発火用部材４１は押し下げることができないため、子供が不注意で着火させることを防止できるチャイルドレジスタンス機能＝ＣＲ機能付きの電子式ライターとなる。
次に、図２のように前記弾性ロックパーツ４４のロックを解除するための押下げ位置を示す目印４６を押せば、前記弾性ロックパーツ４４の上面が凹状に変形して前記側壁下端４４ａが持ち上がり、前記ケーシング１１の側壁上端１１ａとの係合が外れてロックが解除される。
【００２９】
したがって、前記弾性ロックパーツ４４の上面を押したときのみ、前記スライド式発火用部材４１を発火方向にスライドさせることができる。
その状態で、図３のように前記スライド式発火用部材４１を押し下げるようにスライドさせると、前記放電ユニット５１の頭部５２も第１押圧部４５ａによって押し下げられて前記放電ユニット５１が放電し、前記ガス噴射ノズル３１から噴射したガスに点火されることとなる。
その際、前記押圧部材４５の第２押圧部４５ｂは前記噴射レバー３３を押し上げ、それとともに前記噴射レバー３３の前端が上昇して前記ガス噴射ノズル３１を押し上げ、開放されて噴射するガスは前記放電により点火されることとなる。
【００３０】
この考案において電子式ライターの使用後は、前記放電ユニット５１は内蔵したバネ（図示せず）によってその頭部５２が前記スライド式発火用部材４１を押し上げる。それとともに、前記側壁下端４４ａが前記ケーシング１１の側壁上端１１ａに係合位置まで復帰してロック状態に戻る。
したがって、この状態で前記スライド式発火用部材４１をいくら押し下げようとしてもロック状態のままであり、前記放電ユニット５１が作動しないために放電が起きることはなく、ガスに点火される心配がない。
【産業上の利用可能性】
【００３１】
この考案の電子式ライターは放電ユニットを利用しているが、スライド式発火用部材の操作に際してスライド式発火用部材のスライドパーツをこの考案と同様の原理で使用不能な状態にロックする機能を有するものであれば、放電ユニットを利用するものでなくとも適用可能である。
【符号の説明】
【００３２】
１１  ケーシング
１１ａ  側壁上端
１２  支点
２１  燃料収容部
３１  ガス噴射ノズル
３２  銅線
３３  噴射レバー
３４  つば部
３５  Ｏリング
４１  スライド式発火用部材
４２  軸部
４３  スライドパーツ
４４  弾性ロックパーツ
４４ａ  側壁下端
４５  押圧部材
４５ａ  第１押圧部
４５ｂ  第２押圧部
４６  目印
５１  放電ユニット
５２  頭部
【図１】
0003164572.tif 000003
【図２】
0003164572.tif 000004
【図３】
0003164572.tif 000005